(57)【要約】【課題】  電子機器のシャーシに取付けたとき外部から回転力が加えられても回転を容易に防ぐ固定をすることができるＦ型コネクタを提供すること。【解決手段】  本発明のＦ型コネクタ１０は、中心にピン受部１８が設けられる円筒部本体１１と、円筒部本体１１の底面側に形成されシャーシ３０の取付穴３１に取付けられる円筒形状の取付部１２と、円筒部本体１１と円筒形状の取付部１３との間に設けられ円筒形状の取付部１３が取付穴３１に取付けられるとき取付穴３１の外側でシャーシ３０に当接する環状部１２と、円筒形状の取付部１２の外周に形成され、シャーシ３０に明けられた取付穴３１に形成される穴部３２と係合する断面が半円形状の突部１６とを備え、円筒形状の取付部１２が取付穴３１に取付けられるとき半円形状の突部１６により回転止めが行われ固定されることとした。【選択図】図１
2010086936.tif 000002
【特許請求の範囲】
【請求項１】
中心にピン受部が設けられる円筒部本体と、前記円筒部本体の底面側に形成されシャーシの取付穴に取付けられる円筒形状の取付部と、前記円筒部本体と前記円筒形状の取付部との間に設けられ前記円筒形状の取付部が前記取付穴に取付けられるとき前記取付穴の外側で前記シャーシに当接する環状部と、前記円筒形状の取付部の外周に形成され、前記シャーシに明けられた取付穴に形成される穴部と係合する断面が半円形状の突部とを備え、前記円筒形状の取付部が前記取付穴に取付けられるとき前記半円形状の突部により回転止めが行われ固定されることを特徴とするＦ型コネクタ。
【請求項２】
前記半円形状の突部は、前記底面側への位置に応じ断面形状が小となることを特徴とする請求項１に記載のＦ型コネクタ。
【請求項３】
前記半円形状の突部は、前記円筒形状の取付部の中心を通る対角線上に互いに配置されることを特徴とする請求項１に記載のＦ型コネクタ。
【発明の詳細な説明】
【技術分野】
【０００１】  本発明は、電子機器のシャーシに取付けたとき外部から回転力が加えられても回転を容易に防ぐ固定をすることができるＦ型コネクタに関する。
【背景技術】
【０００２】  コネクタには、ＩＣや抵抗器などの電子部品を実装した電子機器のシャーシに固定され、高周波信号を伝送する同軸ケーブルの端部が接続するＦ型プラグの装着が行われるＦ型コネクタがある（例えば、特許文献１参照）。【０００３】
【特許文献１】  特開２００３−４５５１４号公報
【発明の開示】
【発明が解決しようとする課題】
【０００４】  しかしながら、従来のＦ型コネクタは、電子機器のシャーシに明けられた取付穴に円筒形状の取付部が挿入され、取付部の端部の加締めにより固定していたため、Ｆ型プラグの装着を行うときの回転力などにより回転してしまうことがあるという問題があり、この回転を防止するためにはさらに強固に加締めを行わなければならず取付作業は煩雑で取付に手間がかかるという問題もあった。
本発明は、上記に鑑みてなされたものであって、電子機器のシャーシに取付けたとき外部から回転力が加えられても回転を容易に防ぐ固定をすることができるＦ型コネクタを提供することを目的とする。
【課題を解決するための手段】
【０００５】  本発明のＦ型コネクタは、中心にピン受部が設けられる円筒部本体と、前記円筒部本体の底面側に形成されシャーシの取付穴に取付けられる円筒形状の取付部と、前記円筒部本体と前記円筒形状の取付部との間に設けられ前記円筒形状の取付部が前記取付穴に取付けられるとき前記取付穴の外側で前記シャーシに当接する環状部と、前記円筒形状の取付部の外周に形成され、前記シャーシに明けられた取付穴に形成される穴部と係合する断面が半円形状の突部とを備え、前記円筒形状の取付部が前記取付穴に取付けられるとき前記半円形状の突部により回転止めが行われ固定されることとした。
また、前記半円形状の突部は、前記底面側への位置に応じ断面形状が小となることとした。
さらに、前記半円形状の突部は、前記円筒形状の取付部の中心を通る対角線上に互いに配置されることとした。
【発明の効果】
【０００６】  本発明のＦ型コネクタは、中心にピン受部が設けられる円筒部本体と、前記円筒部本体の底面側に形成されシャーシの取付穴に取付けられる円筒形状の取付部と、前記円筒部本体と前記円筒形状の取付部との間に設けられ前記円筒形状の取付部が前記取付穴に取付けられるとき前記取付穴の外側で前記シャーシに当接する環状部と、前記円筒形状の取付部の外周に形成され、前記シャーシに明けられた取付穴に形成される穴部と係合する断面が半円形状の突部とを備え、前記円筒形状の取付部が前記取付穴に取付けられるとき前記半円形状の突部により回転止めが行われ固定されることとしたため、電子機器のシャーシに取付けたとき外部から回転力が加えられても回転を容易に防ぐ固定をすることができる。
また、前記半円形状の突部は、前記底面側への位置に応じ断面形状が小となることとしたため、より強固に回転を防ぎシャーシに容易に固定することができる。
さらに、前記半円形状の突部は、前記円筒形状の取付部の中心を通る対角線上に互いに配置されることとしたため、より強固に回転を防ぎシャーシに固定することができる。
【発明を実施するための最良の形態】
【０００７】  以下、本発明の実施の形態のＦ型コネクタにつき図面を用い説明する。
【実施例１】
【０００８】  図１は、本発明の第１の実施の形態のＦ型コネクタと、Ｆ型コネクタが取付けられるシャーシの斜視図を示す。
図１に示すように、本発明の第１の実施の形態のＦ型コネクタ１０は、同軸ケーブルの端部が接続するＦ型プラグ（図２参照）の装着が行われるもので、中心にピン受部１８が設けられる円筒部本体１１と、円筒部本体１１の矢印Ｌに示す底面側に形成されシャーシ３０に取付けられる円筒形状の取付部１３と、円筒部本体１１と円筒形状の取付部１３との間に設けられた環状部１２と、円筒形状の取付部１３の外周に形成され断面が半円形状の突部１６とで構成されている。
シャーシ３０は、円筒形状の取付部１３が取付けられる取付穴３１が明けられ、取付穴３１の外側には、円筒形状の取付部１３が取付けられるとき突部１６と係合する穴部３２形成されている。
そのため、Ｆ型コネクタ１０は、円筒形状の取付部１３がシャーシ３０に明けられた取付穴３１に入れられるとき、円筒形状の取付部１３の外周に形成された突部１６も取付穴３１の外側に形成された穴部３２に入れられ係合する。
環状部１３は、円筒形状の取付部１３が取付穴３１に取付けられるとき取付穴１３の外側でシャーシ３０に当接する。また、円筒部本体１１と環状部１２と円筒形状の取付部１３との内側には円柱形状の絶縁部１４が圧入され、円柱形状の絶縁部１４には中心にピン受部１８が設けられ、ピン受部１８と連結したピン端子１７が底面側から外側に伸び、円筒部本体１１の外周にはねじ部１９が形成されている。
Ｆ型コネクタ１０は、円筒形状の取付部１３をシャーシ３０に明けられた取付穴３１に入れられ、円筒形状の取付部１３の外周に形成された突部１６も取付穴３１の外側に形成された穴部３２に入れられ係合し、環状部１３が取付穴１３の外側でシャーシ３０に当接されたとき、円筒形状の取付部１３の端部が加締められ、シャーシ３０に固定される。
従って、Ｆ型コネクタ１０は、円筒形状の取付部１３の外周に形成された突部１６により回転を防ぎシャーシ３０に容易に固定することができる。【０００９】  図２は、本発明の第１の実施の形態のＦ型コネクタに装着が行われるＦ型プラグの斜視図を示す。
図２に示すように、Ｆ型プラグ２０は、断面が六角形状の接続部２２が円筒形状の接続部２１と一体なり、同軸ケーブル２６の端部が接続する円筒形状の固定部２３に回転自在に取付けられている。断面が六角形状の接続部２２には、円筒形状の空洞部２２ａが形成され、断面が六角形状の接続部２２と筒形状の接続部２１との内側にはねじ部２４が形成され、中心に接続ピン２５が設けられている。
そのため、Ｆ型プラグ２０は、ねじ部２４をＦ型コネクタ１０のねじ部１９に合わせ、断面が六角形状の接続部２２と円筒形状の接続部２１とを回転させながら接続ピン２５をピン受部１８に挿入させ、Ｆ型コネクタ１０に装着することができる。【００１０】  図３は、本発明の第１の実施の形態のＦ型コネクタの図を示し、図３（ａ）は、Ｆ型コネクタの底面図を示し、図３（ｂ）は、Ｆ型コネクタが固定されるシャーシの裏面図を示す。
図３（ａ）に示すように、Ｆ型コネクタ１０は、円筒部本体１１と、円筒形状の取付部１３と、円筒部本体１１と円筒形状の取付部１３との間に設けられる環状部１２と、円筒形状の取付部１３の外周に形成される突部１６とが設けられ、円筒部本体１１と環状部１２と円筒形状の取付部１３との内側には円柱形状の絶縁部１４が圧入され、絶縁部１４の中心に形成された穴１４ａからピン端子１７が外側に伸びている。また、図３（ｂ）に示すように、シャーシ３０には、円筒形状の取付部１３が取付けられる取付穴３１が明けられ、取付穴３１の外側には、突部１６と係合する穴部３２形成されている。
そのため、Ｆ型コネクタ１０は、円筒形状の取付部１３がシャーシ３０に明けられた取付穴３１に入れられるとき、円筒形状の取付部１３の外周に形成された突部１６も取付穴３１の外側に形成された穴部３２に入れられ係合し、円筒形状の取付部１３の端部が加締部Ｋ１で加締められ、シャーシ３０に固定される。なお、半円形状の突部１６は、円筒形状の取付部１３の中心を通る対角線上に互いに配置されている。
【実施例２】
【００１１】  図４は、本発明の第２の実施の形態のＦ型コネクタの図を示し、図４（ａ）は、本発明の第２の実施の形態のＦ型コネクタの裏面図を示し、図４（ｂ）は、本発明の第２の実施の形態のＦ型コネクタが固定されるシャーシの裏面図を示す。
図４（ａ）に示すように、本発明の第２の実施の形態のＦ型コネクタ４０は、円筒部本体４１と、円筒形状の取付部４３と、円筒部本体４１と円筒形状の取付部４３との間に設けられる環状部４２と、円筒形状の取付部４３の外側に形成される突部４６とが設けられ、円筒部本体４１と環状部４２と円筒形状の取付部４３との内側には円柱形状の絶縁部４４が圧入され、絶縁部４４の中心に形成された穴４４ａからピン端子４７が外側に伸びている。円筒形状の取付部４３には、平面部４３ａが形成され、平面部４３ａの外側に突部４６が形成されている。
また、図４（ｂ）に示すように、シャーシ５０には、円筒形状の取付部４３が取付けられる取付穴５１が明けられ、取付穴５１の内周には直線部５１ａが形成され、直線部５１ａの外側には突部４６と係合する穴部５２形成されている。
そのため、Ｆ型コネクタ４０は、円筒形状の取付部４３がシャーシ５０に明けられた取付穴５１に入れられるとき、円筒形状の取付部４３に形成された平面部４３ａと、取付穴５１に形成された直線部５１ａとが合わされ、また、円筒形状の取付部４３の外側に形成された突部４６も直線部５１ａの外側に形成された穴部５２に入れられ係合し、円筒形状の取付部４３の端部が第１の実施の形態と同様に加締められ、シャーシ５０に固定される。
【実施例３】
【００１２】  図５は、本発明の第３の実施の形態のＦ型コネクタと、本発明の第３の実施の形態のＦ型コネクタが取付けられるシャーシの斜視図を示す。
図５に示すように、本発明の第３の実施の形態のＦ型コネクタ６０は、中心にピン受部６８が設けられる円筒部本体６１と、円筒部本体６１の底面側に形成されシャーシ７０に取付けられる円筒形状の取付部６３と、円筒部本体６１と円筒形状の取付部６３との間に設けられた環状部６２と、円筒形状の取付部６３の外周に形成され断面が半円形状の突部６６とで構成されている。断面が半円形状の突部６６は、底面側に近づく断面形状の位置に応じ断面形状が小となる形状に設定されている。なお、突部６６の断面形状は、底面側に近づくにつれ、幅方向を小さくすることも、高さ方向を低くすることもできる。
シャーシ７０は、円筒形状の取付部６３が取付けられる取付穴７１が明けられ、取付穴７１の外側には、円筒形状の取付部６３が取付けられるとき突部６６と係合する穴部７２形成されている。【００１３】  そのため、Ｆ型コネクタ６０は、円筒形状の取付部６３がシャーシ７０に明けられた取付穴７１に入れられるとき、円筒形状の取付部６３の外周に形成された突部６６も取付穴７１の外側に形成された穴部７２に入れられ係合する。
環状部６３は、円筒形状の取付部６３が取付穴７１に取付けられるとき取付穴６３の外側でシャーシ７０に当接する。また、円筒部本体６１と環状部６２と円筒形状の取付部６３との内側には円柱形状の絶縁部６４が圧入され、円柱形状の絶縁部６４には中心にピン受部６８が設けられ、ピン受部６８と連結したピン端子６７が底面側から外側に伸び、円筒部本体６１の外周にはねじ部６９が形成されている。
Ｆ型コネクタ６０は、円筒形状の取付部６３をシャーシ７０に明けられた取付穴７１に入れられ、円筒形状の取付部６３の外周に形成され、底面側に近づく断面形状の位置に応じ断面形状が小となる形状に設定されている突部６６も取付穴７１の内周に形成された穴部７２に入れられ強固に係合し、環状部６３を取付穴６３の外側でシャーシ７０に当接させたとき、円筒形状の取付部６３の端部が加締められ、シャーシ７０に固定される。
従って、Ｆ型コネクタ６０は、円筒形状の取付部６３の外周に形成された突部６６により強固に回転を防ぎシャーシ７０に容易に固定することができる。【００１４】  以上述べたように、本発明の実施の形態のＦ型コネクタ１０、４０、６０は、電子機器のシャーシに取付けたとき外部から回転力が加えられても回転を容易に防ぐ固定をすることができる。
【図面の簡単な説明】
【００１５】
【図１】  本発明の第１の実施の形態のＦ型コネクタと、Ｆ型コネクタが取付けられるシャーシの斜視図を示す。
【図２】  本発明の第１の実施の形態のＦ型コネクタに装着が行われるＦ型プラグの斜視図を示す。
【図３】  本発明の第１の実施の形態のＦ型コネクタの図を示し、図３（ａ）は、Ｆ型コネクタの底面図を示し、図３（ｂ）は、Ｆ型コネクタが固定されるシャーシの裏面図を示す。
【図４】  本発明の第２の実施の形態のＦ型コネクタの図を示し、図４（ａ）は、本発明の第２の実施の形態のＦ型コネクタの裏面図を示し、図４（ｂ）は、本発明の第２の実施の形態のＦ型コネクタが固定されるシャーシの裏面図を示す。
【図５】  本発明の第３の実施の形態のＦ型コネクタと、本発明の第３の実施の形態のＦ型コネクタが取付けられるシャーシの斜視図を示す。
【符号の説明】
【００１６】  １０  第１の実施の形態のＦ型コネクタ
１８  ピン受部
１１、４１、６１  円筒部本体
１２、４２、６２  環状部
１３、４３、６３  取付部
１４、４４、６４  絶縁部
１６、４６、６６  半円形状の突部
３０、５０、７０  シャーシ
３１、５１、７１  取付穴
３２、５２、７２  穴部
４０  第２の実施の形態のＦ型コネクタ
６０  第３の実施の形態のＦ型コネクタ
【図１】
2010086936.tif 000003
【図２】
2010086936.tif 000004
【図３】
2010086936.tif 000005
【図４】
2010086936.tif 000006
【図５】
2010086936.tif 000007